(57)【要約】      （修正有）【課題】リフォームにおいて、上がり框を被覆する作業負担を軽減することに適した組立式リフォーム用上がり框を提案する。【解決手段】組立式リフォーム用上がり框は、垂下部材３と、水平部材７を含む。垂下部材３は、既存の上がり框の前面に設置され、上部に、複数の突片部５１、５２を有する。複数の突片部５１、５２は、間隔をあけて突条部を形成し、垂下部材３の長手方向の少なくとも一端側には形成されていない。水平部材７は、垂下部材３の突条部に嵌合できる溝部９を有する。作業者は、既存の上がり框の前面に垂下部材３を設置し、水平部材７を、垂下部材３の突条部を溝部９に嵌合させて、垂下部材３及び既存の上がり框の上部に設置する。【選択図】図１
0003229827.tif 000002
【実用新案登録請求の範囲】
【請求項１】
既存の上がり框に被覆して取り付けられる組立式リフォーム用上がり框であって、
前記既存の上がり框の前面に設置され、上部に突条部を有する垂下部材と、
溝部を有する水平部材を含み、
前記水平部材は、前記垂下部材の前記突条部を前記溝部に嵌合されて、前記垂下部材及び前記既存の上がり框の上部に設置される、組立式リフォーム用上がり框。
【請求項２】
前記垂下部材の前記突条部は、前記垂下部材の少なくとも一方端には設けられない、請求項１記載の組立式リフォーム用上がり框。
【請求項３】
前記垂下部材の前記突条部は、複数の突片部により構成される、請求項１又は２に記載の組立式リフォーム用上がり框。
【考案の詳細な説明】
【技術分野】
【０００１】
本願考案は、組立式リフォーム用上がり框に関する。
【背景技術】
【０００２】
框は、床などに段差がある場合に、高いほうの板の端部を隠すために取り付けられる化粧の横材である。上がり框は、玄関などの上がり口に取り付けられる框である。
【０００３】
上がり框のリフォームには、一般的に、特許文献１に記載されているように、逆Ｌ字型のものを使用して、既存の上がり框を被覆することが行われている。
【先行技術文献】
【特許文献】
【０００４】
【特許文献１】特開２００４−２８５６９３号公報
【考案の概要】
【考案が解決しようとする課題】
【０００５】
しかしながら、特許文献１記載のように逆Ｌ字型のものを使用すると、極めて作業が複雑になる。例えば、玄関では、上がり框の上に靴箱が設置されていたり、壁や靴箱などに対して上がり框が斜めに設置されていたりする場合がある。この場合、逆Ｌ字型のものでは、現場で成形する作業が非常に複雑である。
【０００６】
そこで、本願考案は、リフォームにおいて、上がり框を被覆する作業負担を軽減することに適した組立式リフォーム用上がり框を提案することを目的とする。
【課題を解決するための手段】
【０００７】
本願考案の第１の観点は、既存の上がり框に被覆して取り付けられる組立式リフォーム用上がり框であって、前記既存の上がり框の前面に設置され、上部に突条部を有する垂下部材と、溝部を有する水平部材を含み、前記水平部材は、前記垂下部材の前記突条部を前記溝部に嵌合させて、前記垂下部材及び前記既存の上がり框の上部に設置されるものである。
【０００８】
本願考案の第２の観点は、第１の観点の組立式リフォーム用上がり框であって、前記垂下部材の前記突条部は、前記垂下部材の少なくとも一方端には設けられないものである。
【０００９】
本願考案の第３の観点は、第１又は第２の観点の組立式リフォーム用上がり框であって、前記垂下部材の前記突条部は、複数の突片部により構成される。
【考案の効果】
【００１０】
本願考案の各観点によれば、垂下部材と水平部材とを別の部材として、垂下部材を、既存の上がり框の前面に、突条部が既存の上がり框の上面から突出するように設置して、水平部材を、垂下部材の突条部を溝部に嵌合させて、垂下部材及び既存の上がり框の上部に設置することにより、設置の作業負担を軽減することができる。
【００１１】
特に、第２の観点によれば、突条部を垂下部材の少なくとも一方端に設けないようにすることにより、既存の上がり框の一方端の上に靴箱などがあった場合でも、既存の上がり框に合わせて水平部材のみを加工すればよく、設置作業の負担を軽減することができる。
【００１２】
また、第３の観点によれば、突片部の間を利用して、既存の上がり框の前面に設置する位置を調整でき、設置作業の負担を軽減することができる。
【図面の簡単な説明】
【００１３】
【図１】本願考案の実施の形態に係る組立式リフォーム用上がり框の構成の一例を示す図である。
【図２】本願考案の実施の形態に係る組立式リフォーム用上がり框の構成の具体的な一例を示す図である。
【図３】本願考案の実施の形態に係る組立式リフォーム用上がり框の構成の具体的な他の一例を示す図である。
【考案を実施するための形態】
【００１４】
以下では、図面を参照して、本願考案の実施例について説明する。なお、本願考案は、この実施例に限定されるものではない。
【実施例】
【００１５】
図１は、本願考案の実施の形態に係る組立式リフォーム用上がり框の構成の一例を示す図である。組立式リフォーム用上がり框は、垂下部材３（本願考案の「垂下部材」の一例）と、水平部材７（本願考案の「水平部材」の一例）を含む。
【００１６】
図１（ａ）〜（ｆ）は、垂下部材３の（ａ）正面図、（ｂ）背面図、（ｃ）平面図、（ｄ）底面図、（ｅ）左側面図及び（ｆ）右側面図を示す。垂下部材３は、既存の上がり框の前面（玄関ドア側）に設置される。垂下部材３は、上部に、突条部（本願考案の「突条部」の一例）を備える。突条部は、複数の突片部５1及び５2（本願考案の「突片部」の一例）を含む。複数の突片部５1及び５2は、垂下部材３の上部から突出し、長手方向に延びた形状である。これらは、間隔をあけて、一連の突条を形成している。これらは、垂下部材３の上部の長手方向の少なくとも一方の端には形成されていない。
【００１７】
図１（ｇ）〜（ｌ）は、水平部材７の（ｇ）左側面図、（ｈ）右側面図、（ｉ）正面図、（ｊ）背面図、（ｋ）平面図及び（ｌ）底面図を示す。水平部材７は、既存の上がり框の上面（床面側）に設置される。水平部材７は、下に位置する面に溝部９（本願考案の「溝部」の一例）が形成されている。溝部９の幅及び深さは、突条部５が嵌合することができるものである。
【００１８】
図２は、本願考案の実施の形態に係る組立式リフォーム用上がり框の構成の具体的な一例を示す図である。図２（ａ）を参照して、垂下部材１３には、その上部に複数の突片部１５1及び１５2が構成されて、突条部が形成されている。水平部材１７には、溝部１９が形成されている。
【００１９】
図２（ｂ）は、垂下部材１３の突片部１５1及び１５2を水平部材１７の溝部１９に嵌合させた状態を示す。
【００２０】
図２（ｃ）は、テーブルを既存の上がり框に見立て、その前面に垂下部材１３を設置した状態を示す。垂下部材１３は、突片部１５1及び１５2を除いた上端の位置を、既存の上がり框の上端の位置に合わせる。ここで、垂下部材１３の上部には、突片部１５1及び１５2が、その間にも、一方端側にも、存在しない個所があるため、容易に位置決めをすることができる。
【００２１】
図２（ｄ）は、テーブルを既存の上がり框に見立てた場合の、前面に配置された垂下部材１３に、水平部材１７を設置した状態を示す。水平部材１７は、垂下部材１３の突条部を溝部１９に嵌合させればよく、設置は容易である。
【００２２】
図３は、本願考案の実施の形態に係る組立式リフォーム用上がり框の構成の具体的な他の一例を示す図である。図３（ａ）を参照して、垂下部材２３には、その上部に複数の突片部２５1〜２５3が構成されて、突条部が形成されている。また、水平部材２７には、溝部２９が形成されている。垂下部材２３及び水平部材２７には、既存の上がり框に設置される面に、接着剤を塗布する。
【００２３】
図３（ｂ）は、垂下部材２３を設置した状態を示す。既存の上がり框の上面には、垂下部材２３の突片部２５1〜２５4がない個所において、位置決め部材３１1〜３１4が、既存の上がり框の前面から出た状態にする。作業者は、垂下部材２３を、その上部において突片部２５1〜２５4がない個所を利用して、位置決め部材３１1〜３１4により高さ及び位置を調整して設置する。上がり框の右端の上には靴箱３３が存在するが、垂下部材２３において突片部２５が形成されていない側を利用して、靴箱３３の下に容易に設置することができる。
【００２４】
図３（ｃ）は、水平部材２７を設置した状態を示す。作業者は、水平部材２７を、既存の上がり框及び垂下部材２３の上に、垂下部材２３の突条部を溝に嵌合させて設置する。靴箱３３があるために、垂下部材２３と水平部材２７の長さは異なるが、異なる部材としているために、長さは容易に調整することができる。
【００２５】
同様に、上がり框が壁や靴箱に対して斜めである場合でも、垂下部材２３と水平部材２７を異なる部材としているために、形状の調整は容易である。
【符号の説明】
【００２６】
３，１３，２３  垂下部材、５，１５，２５  突片部、７，１７，２７  水平部材、９，１９，２９  溝部、３１  位置決め部材、３３  靴箱
【図１】
0003229827.tif 000003
【図２】
0003229827.tif 000004
【図３】
0003229827.tif 000005